【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
プロセッサと、
前記プロセッサに連結されたメモリと、
を備える電気外科コントローラであって、
前記メモリがプログラムを記憶し、前記プログラムは、前記プロセッサによって実行されると、前記プロセッサに、
電圧発生器のアクティブ端子へのエネルギーの配給を命令すること（７０２）と、
前記アクティブ端子に沿う前記エネルギーの流量を示す値を測定すること（７０４）であって、前記測定がエネルギーの配給中である、測定すること（７０４）と、
エネルギーの配給中、時間の第１の所定ウィンドウにわたって、前記アクティブ端子に沿って供給されるエネルギーを示す第１の値を加算すること（７０６）と、
前記第１の値が所定値を満たすまたは超過することに応答して、エネルギーの配給を停止するように、前記電圧発生器に命令すること（７１０）と、
エネルギーの配給中、時間の第２の所定ウィンドウにわたって、前記アクティブ端子に沿って供給されるエネルギーを示す第２の値を加算すること（７０８）であって、前記第２の所定ウィンドウが前記第１の所定ウィンドウよりも短い長さであり、前記第２の所定ウィンドウが前記第１の所定ウィンドウと同延である、加算すること（７０８）と、
前記第２の値が閾値を満たすまたは超過することに応答して、エネルギーの配給を停止するように、前記電圧発生器に命令すること（７１２）と、
を行わせる、電気外科コントローラ。
【請求項２】
前記プロセッサが、前記エネルギーの流量を示す値を測定するとき、前記プログラムは、前記プロセッサに、前記アクティブ端子に沿う電流流量を示す値、前記アクティブ端子に沿う二乗平均平方根（ＲＭＳ）電流を示す値、前記アクティブ端子に供給される電圧を示す値、前記アクティブ端子に供給されるＲＭＳ電圧を示す値からなる群から選定された少なくとも１つを測定させる、請求項１に記載の電気外科コントローラ。
【請求項３】
前記プロセッサが、前記第１の所定ウィンドウにわたって加算するとき、前記プログラムは、前記プロセッサに、１秒のウィンドウにわたって加算させ、
前記プロセッサが、前記第２の所定ウィンドウにわたって加算するとき、前記プログラムは、前記プロセッサに、２０〜５００ミリ秒のウィンドウにわたって加算させ、
前記プロセッサが、前記第１の値が所定値を満たすまたは超過することに応答して、エネルギーの配給を停止するように、前記電圧発生器に命令するとき、前記プログラムは、前記プロセッサに、前記第１の値が４００ジュール以上であることに応答してエネルギーの配給を停止するように前記電圧発生器に命令させ、
前記プロセッサが、前記第２の値が前記閾値を満たすまたは超過することに応答して、エネルギーの配給を停止するように、前記電圧発生器に命令するとき、前記プログラムは、前記プロセッサに、前記第２の値が５〜４００ジュール以上であることに応答して、エネルギーの配給を停止するように、前記電圧発生器に命令させる、請求項１または２に記載の電気外科コントローラ。
【請求項４】
前記プロセッサが、前記第１の値が第１の所定値を満たすまたは超過することに応答して、エネルギーを配給することを停止するように、前記電圧発生器に命令するとき、前記プログラムは、前記プロセッサに、
エネルギー配給が停止すべき時間の量を表す休止時間を計算させ、
前記休止時間の時間長さの間、エネルギーを配給することを停止するように前記プロセッサに命令させる、請求項１に記載の電気外科コントローラ。
【請求項５】
前記プロセッサが、前記第２の値が前記閾値を満たすまたは超過することに応答して、エネルギーを供給することを停止するように、前記電圧発生器に命令するとき、前記プログラムは、前記プロセッサに、
エネルギー配給が停止すべき時間の量を表す休止時間を計算させ、
前記休止時間の時間長さの間、エネルギーを配給することを停止するように前記プロセッサに命令させる、請求項１に記載の電気外科コントローラ。
【請求項６】
前記プログラムは、さらに前記プロセッサに、
プラズマが前記アクティブ端子に連結されたアクティブ電極の近位に存在する期間中、閾値を減少させ、
プラズマが前記アクティブ電極の近位に存在しない期間中、前記閾値を増加させる、請求項１に記載の電気外科コントローラ。
【請求項７】
プログラム命令を含むコンピュータプログラムプロダクトであって、前記プログラム命令は、電気外科コントローラのプロセッサによって実行されると、前記プロセッサに、
電圧発生器のアクティブ端子へのエネルギーの配給を命令すること（７０２）と、
前記アクティブ端子に沿う前記エネルギーの流量を示す値を測定すること（７０４）であって、前記測定がエネルギーの配給中である、測定すること（７０４）と、
エネルギーの供給中、時間の第１の所定ウィンドウにわたって、前記アクティブ端子に沿って供給されるエネルギーを示す第１の値を加算すること（７０６）と、
前記第１の値が所定値を満たすまたは超過することに応答して、エネルギーの配給を停止するように、前記電圧発生器に命令すること（７１０）と、
エネルギーの配給中、時間の第２の所定ウィンドウにわたって、前記アクティブ端子に沿って供給されるエネルギーを示す第２の値を加算させること（７０８）であって、前記第２の所定ウィンドウが前記第１の所定ウィンドウよりも短い長さであり、前記第２の所定ウィンドウが前記第１の所定ウィンドウと同延である、加算させること（７０８）と、
前記第２の値が閾値を満たすまたは超過することに応答して、エネルギーの配給を停止するように、前記電圧発生器に命令させること（７１２）と、
を行わせる、コンピュータプログラムプロダクト。
【請求項８】
前記プロセッサが、前記エネルギーの流量を示す値を測定するとき、プログラムは、前記プロセッサに、前記アクティブ端子に沿う電流流量を示す値、前記アクティブ端子に沿う二乗平均平方根（ＲＭＳ）電流を示す値、前記アクティブ端子に供給される電圧を示す値、前記アクティブ端子に供給されるＲＭＳ電圧を示す値からなる群から選定された少なくとも１つを測定させる、請求項７に記載のコンピュータ可読媒体。
【請求項９】
前記プロセッサが、前記第１の所定ウィンドウにわたって加算するとき、プログラムは、前記プロセッサに、１秒のウィンドウにわたって加算させ、
前記プロセッサが、前記第２の所定ウィンドウにわたって加算するとき、前記プログラムは、前記プロセッサに、例えば、２０〜５００ミリ秒のウィンドウにわたって加算させ、
前記プロセッサが、前記第１の値が所定値を満たすまたは超過することに応答して、エネルギーの配給を停止するように、前記電圧発生器に命令するとき、前記プログラムは、前記プロセッサに、前記第１の値が４００ジュール以上であることに応答して、エネルギーの配給を停止するように、前記電圧発生器に命令させ、
前記プロセッサが、前記第２の値が前記閾値を満たすまたは超過することに応答して、エネルギーの配給を停止するように、前記電圧発生器に命令するとき、前記プログラムは、前記プロセッサに、前記第２の値が５〜４００ジュール以上であることに応答して、エネルギーの配給を停止するように、前記電圧発生器に命令させる、請求項７に記載のコンピュータ可読媒体。
【請求項１０】
前記プロセッサが、前記第１の値が第１の所定値を満たすまたは超過することに応答して、エネルギーを配給することを停止するように、前記電圧発生器に命令するとき、プログラムは、前記プロセッサに、
エネルギー配給が停止すべき時間の量を表す休止時間を計算させ、
前記休止時間の時間長さの間、エネルギーを配給することを停止するように前記プロセッサに命令させる、請求項７に記載のコンピュータ可読媒体。
【請求項１１】
前記プロセッサが、前記第２の値が前記閾値を満たすまたは超過することに応答して、エネルギーを配給することを停止するように、前記電圧発生器に命令するとき、プログラムは、前記プロセッサに、
エネルギー配給が停止すべき時間の量を表す休止時間を計算させ、
前記休止時間の時間長さの間、エネルギーを配給することを停止するように前記プロセッサに命令させる、請求項７に記載のコンピュータ可読媒体。
【請求項１２】
プログラムは、さらに前記プロセッサに、
プラズマが前記アクティブ端子に連結されたアクティブ電極の近位に存在する期間中、閾値を減少させ、
プラズマが前記アクティブ電極の近位に存在しない期間中、前記閾値を増加させる、請求項７に記載のコンピュータ可読媒体。
【請求項１３】
電圧発生器をさらに備える請求項１から６のいずれか一項に記載の電気外科コントローラまたは請求項７から１２のいずれか一項に記載のコンピュータプログラムプロダクトを用いて設定されている電気外科コントローラ。